(57)【要約】【課題】消費電力の変動による交流電源への影響を低減することが可能な電気機器を提供する。【解決手段】電気機器１（たとえば家電製品）は、交流電源からの交流電力を直流電力に変換するＡＣ／ＤＣコンバータ１２と、その直流電力を交流電力に変換するインバータ１５と、インバータ１５からの交流電力により駆動されるモータ１６と、蓄電装置１４と、ＡＣ／ＤＣコンバータ１２から出力される電流を制御するように構成された電流制御回路１３とを備える。電流制御回路１３は、ＡＣ／ＤＣコンバータ１２からの出力電流を一定に制御して、蓄電装置１４により過不足の電力をインバータ１５に供給する。【選択図】図２
2014090622.tif 000002
【特許請求の範囲】
【請求項１】
交流電源からの交流電力を直流電力に変換するＡＣ／ＤＣ変換回路と、
前記直流電力を交流電力に変換するインバータと、
前記インバータからの交流電力により駆動される負荷と、
前記ＡＣ／ＤＣ変換回路と前記インバータとの間に設けられて、直流電力を充電および放電する蓄電装置と、
ＡＣ／ＤＣ変換回路の出力電流を制御する電流制御回路とを備え、
前記ＡＣ／ＤＣ変換回路の出力電流を一定に保ち、前記蓄電装置により過不足する電力を前記インバータに供給する、電気機器。
【請求項２】
前記電流制御回路は、前記交流電源に対する前記電気機器の消費電流の時間平均を一定に保つように前記ＡＣ／ＤＣ変換回路からの出力電流を制御する、請求項１に記載の電気機器。
【請求項３】
前記電流制御回路は、前記蓄電装置のＳＯＣ（State Of Charge：充電率)の情報を取得して、前記ＳＯＣが、０と満充電容量値との間の目標値となるように、前記ＡＣ／ＤＣ変換回路からの出力電流を制御する、請求項１または２に記載の電気機器。
【請求項４】
前記電流制御回路は、前記蓄電装置の前記ＳＯＣが、前記目標値を含む所定の範囲の下限値を下回る場合には、前記ＡＣ／ＤＣ変換回路から出力される電流を増大させる一方で、前記蓄電装置の前記ＳＯＣが、前記目標値を含む所定の範囲の上限値を上回る場合には、前記ＡＣ／ＤＣ変換回路から出力される電流を減少させる、請求項３に記載の電気機器。
【請求項５】
前記ＳＯＣが前記所定の範囲内にある場合には、前記電流制御回路は、前記ＡＣ／ＤＣ変換回路から出力される電流の変化量を０にする、請求項４に記載の電気機器。
【発明の詳細な説明】
【技術分野】
【０００１】
本発明は、電気機器に関し、特にインバータおよびモータを備えた電気機器に関する。
【背景技術】
【０００２】
従来より、空調機（エアーコンディショナ）あるいは冷蔵庫など、インバータおよびモータを備えた家電製品が存在する。
【０００３】
モータの動作開始時には、突入電流と呼ばれる、瞬間的に大きな電流が生じる。なお、突入電流によって生じる電力を本明細書では「突入電力」と呼ぶ。また、本明細書では特に必要がある場合のみ「突入電力」と「突入電流」とを区別するが、両者を区別する必要がない場合には「突入電力」との用語を用いる。
【０００４】
特開２００３−２３０２３２号公報（特許文献１）は、突入電力の影響を受けにくいように構成された電源装置を開示する。この電源装置は、突入電力抑制手段と、ＡＣ／ＤＣ変換器と、直流電力蓄電手段とを備える。突入電力抑制手段およびＡＣ／ＤＣ変換器は、交流入力と交流出力との間に設けられる。負荷の定常運転時の電力は、ＡＣ／ＤＣ変換器およびインバータによって負荷に供給される。負荷の突入電力は、直流電力蓄電手段およびインバータによって負荷に供給される。
【先行技術文献】
【特許文献】
【０００５】
【特許文献１】特開平４−３３２３７３号公報
【発明の概要】
【発明が解決しようとする課題】
【０００６】
インバータを備えた電気機器（たとえば上述の家電製品）の動作時には、大きな電流が断続的に流れる。したがって、インバータを備えた電気機器は、その電気機器の動作中に消費電力が大きく変動することが要因の一つとなって、インバータを備えた家電製品は、たとえばＵＰＳ（Uninterruptible Power Supply)あるいは、パワーコンディショナの自立発電装置などといった、小容量（たとえば出力が数ｋＷ程度）の電源機器に接続することができなかった。
【０００７】
インバータを備えた家電製品を小容量の電源機器に接続するためには、その家電製品の最大消費電力に対応した容量を有するように電源機器を構成しなければならない。電源機器の出力許容量を上げるためには、その電源機器を大型化しなければならない。
【０００８】
さらに、家電製品の消費電力が大きく変動するために、電源機器の出力の変動幅が大きくなるという課題がある。小容量の電源機器は、その出力を、家電製品の消費電力の変動に追随させて変化させることが難しい。
【０００９】
なお、特開平４−３３２３７３号公報（特許文献１）には、上記のような課題は示されていない。特許文献１の構成によれば、突入電力よりも小さい電力は、負荷の定常電力としてＡＣ／ＤＣ変換器に与えられる。言い換えると、突入電力よりも小さい電力は制御されない。このため、特許文献１の構成によれば、電力の変動により、交流電源にかかる負荷が大きくなる可能性がある。
【００１０】
なお、上記の説明では、インバータおよびモータを備えた電気機器として家電製品を例示した。しかし家電製品に限定されず、インバータおよびモータを備えた電気機器を小容量の電源機器に接続する場合には同様の課題が発生する。
【００１１】
本発明の目的は、消費電力の変動による交流電源への影響を低減することが可能な電気機器を提供することである。
【課題を解決するための手段】
【００１２】
本発明の一局面に係る電気機器は、交流電源からの交流電力を直流電力に変換するＡＣ／ＤＣ変換回路と、直流電力を交流電力に変換するインバータと、インバータからの交流電力により駆動される負荷と、ＡＣ／ＤＣ変換回路とインバータとの間に設けられて、直流電力を充電および放電する蓄電装置と、ＡＣ／ＤＣ変換回路の出力電流を制御する電流制御回路とを備え、ＡＣ／ＤＣ変換回路の出力電流を一定に保ち、過不足する電力をインバータに供給する。
【００１３】
好ましくは、電流制御回路は、交流電源に対する電気機器の消費電流の時間平均を一定に保つようにＡＣ／ＤＣ変換回路からの出力電流を制御する。
【００１４】
好ましくは、電流制御回路は、蓄電装置のＳＯＣ（State Of Charge：充電率)の情報を取得して、そのＳＯＣが、０と満充電容量値との間の目標値となるように、ＡＣ／ＤＣ変換回路からの出力電流を制御する。
【００１５】
好ましくは、電流制御回路は、蓄電装置のＳＯＣが、目標値を含む所定の範囲の下限値を下回る場合には、ＡＣ／ＤＣ変換回路から出力される電流を増大させる一方で、蓄電装置のＳＯＣが、目標値を含む所定の範囲の上限値を上回る場合には、ＡＣ／ＤＣ変換回路から出力される電流を減少させる。
【００１６】
好ましくは、ＳＯＣが所定の範囲内にある場合には、電流制御回路は、ＡＣ／ＤＣ変換回路から出力される電流の変化量を０にする。
【００１７】
好ましくは、電流制御回路は、ＳＯＣが所定の範囲外にある場合には、ＡＣ／ＤＣ変換回路からの出力電流をＳＯＣに応じて変化させる。
【００１８】
好ましくは、ＳＯＣの目標値は、満充電容量値の５０％よりも大きい。
【発明の効果】
【００１９】
本発明によれば、負荷の消費電力の変動による交流電源への影響を低減することができる。
【図面の簡単な説明】
【００２０】
【図１】本発明の実施の形態に係る電気機器と電源との接続例を示した模式図である。
【図２】第１の実施の形態に係る電気機器１の主要部分の構成を示した回路図である。
【図３】図２に示したＡＣ／ＤＣコンバータ１２の一構成例を示した回路図である。
【図４】インバータの直流消費電流の変化を説明するための波形図である。
【図５】インバータの直流消費電流の変動に起因する、交流系統の電流の変動を説明する波形図である。
【図６】第１の実施の形態に係る電気機器による、交流系統の電流の変動を説明するための波形図である。
【図７】第２の実施の形態に係る電気機器１の主要部分の構成を示した回路図である。
【図８】電流制御回路１３Ａの構成の一例を説明した機能ブロック図である。
【図９】第２の実施の形態に係る蓄電装置１４の制御を説明するためのグラフである。
【図１０】第３の実施の形態に係るＳＯＣと電流差分ΔＩａとの間の対応関係の第１の例を示す図である。
【図１１】第３の実施の形態に係るＳＯＣと電流差分ΔＩａとの間の対応関係の第２の例を示す図である。
【発明を実施するための形態】
【００２１】
以下、本発明の実施の形態について図面を参照しながら詳細に説明する。なお、図中同一または相当部分には同一符号を付してその説明は繰返さない。
【００２２】
図１は、本発明の実施の形態に係る電気機器と電源との接続例を示した模式図である。図１を参照して、本発明の実施の形態に係る電気機器１は、系統電源２および電源機器３に接続される。系統電源２および電源機器３はともに交流電源である。
【００２３】
電源機器３は、任意選択的に設置される。電源機器３は、系統電源２と比べて小さい容量を有する。電源機器３は、たとえばＵＰＳあるいは太陽電池（図示せず）のパワーコンディショナなどであるがこれに限定されない。電源機器３の容量は、たとえば数ｋＷ程度である。
【００２４】
後に詳細に説明するように、電気機器１は、インバータおよびモータを有する。代表的には、電気機器１は家電製品である。インバータおよびモータを有する家電製品として、たとえば冷蔵庫あるいは空調機が挙げられる。ただし電気機器１の種類は特に限定されるものではない。
【００２５】
次に、図１に示した電気機器１について、実施の形態ごとに詳細に説明する。
［実施の形態１］
図２は、第１の実施の形態に係る電気機器１の主要部分の構成を示した回路図である。図２を参照して、第１の実施の形態に係る電気機器１は、ＰＦＣ（Power  Factor  Correction）回路１１と、ＡＣ／ＤＣコンバータ１２と、電流制御回路１３と、蓄電装置１４と、インバータ１５と、モータ１６とを備える。
【００２６】
ＰＦＣ回路１１は、交流電源（特に系統電源２）の力率を改善するための回路である。なお、ＰＦＣ回路１１は、本発明の実施の形態に係る電気機器にとって必須の構成要素ではない。したがって、ＰＦＣ回路１１を省略した構成を電気機器１に採用することができる。
【００２７】
ＡＣ／ＤＣコンバータ１２は、交流電源（系統電源２および／または電源機器３）からの交流電力を直流電力に変換する。ＡＣ／ＤＣコンバータ１２は、本発明に係る電気機器に含まれる「ＡＣ／ＤＣ変換回路」を実現する。電流制御回路１３は、ＡＣ／ＤＣコンバータ１２の出力電流を一定に制御する。
【００２８】
蓄電装置１４は、直流電力を充電および放電できるように構成される。たとえば蓄電装置１４は、蓄電池、キャパシタなどにより構成される。蓄電装置１４は、繰返される充電と放電とに対して劣化しにくい特性を有することが好ましい。この点で、蓄電装置１４として電気二重層キャパシタを適用することが好ましい。この発明の実施の形態では、蓄電装置１４は、停電時のバックアップ電源というよりも電気機器１の消費電流量を安定化させる目的で使用される。したがって、大容量の蓄電装置を準備する必要はない。
【００２９】
インバータ１５は、ＡＣ／ＤＣコンバータ１２および蓄電装置１４から供給される直流電力を交流電力に変換する。直流電力から交流電力への変換方式にはＰＡＭ（パルス振幅波形変調）、ＰＷＭ（パルス幅変調）などの各種の方式を適用することができる。したがって、インバータ１５による電力変換方式は特に限定されない。
【００３０】
なお、一般的に、インバータの直流入力側には、直流電力を平滑化するためのコンデンサが設けられる。これに対して、蓄電装置１４は、たとえば、インバータ１５の消費電流が大きい状態がある程度の時間（たとえば１秒程度）続いても、交流電源から電気機器１へ供給される電流が増大するのをできるだけ抑える機能を果たす。したがって、蓄電装置１４の容量は、インバータ１５の平滑コンデンサの容量よりも大きい。蓄電装置１４は、インバータ１５の平滑コンデンサとは別に設けられることが好ましい。なお、本明細書では、特に説明のない限り、「インバータ１５の消費電流」とはインバータ１５の消費電力およびモータ１６の消費電力の合計を意味する。
【００３１】
モータ１６は、交流電力により動作する負荷の一例である。モータ１６はインバータ１５により制御されて、インバータ１５からの交流電力により動作する。モータ１６は、たとえばＤＣモータである。たとえばＰＷＭ方式の場合、インバータ１５のスイッチング素子（図示せず）をチョッパ動作させることで平均電圧の大きさを変化させる。これによりモータ１６の速度が変更される。たとえばＰＡＭ方式の場合には、電圧振幅の大きさを変えることによりモータ１６の速度が変更される。
【００３２】
図３は、図２に示したＡＣ／ＤＣコンバータ１２の一構成例を示した回路図である。図３を参照して、ＡＣ／ＤＣコンバータ１２は、ダイオードブリッジ２１と、パワーＩＣ（Integrated Circuit）２２と、トランス２３と、コンデンサ２４とを備える。
【００３３】
ダイオードブリッジ２１は、交流電圧を全波整流する。パワーＩＣ２２は、たとえば、電流制御回路１３によってＰＷＭ制御されて、全波整流された電圧をスイッチングする。スイッチングされた電圧はトランス２３によって変換されてコンデンサ２４により平滑化される。これにより、ＡＣ／ＤＣコンバータ１２からは直流電圧（Ｖｏｕｔ）が出力される。
【００３４】
電流センサ３１は、ＡＣ／ＤＣコンバータ１２の出力に設けられる。電流センサ３１は、ＡＣ／ＤＣコンバータ１２から出力される電流Ｉｏｕｔを検出する。電流センサ３１の検出結果は、電流制御回路１３に送られる。
【００３５】
電流制御回路１３は、コンデンサ２４の端子間電圧（すなわち電圧Ｖｏｕｔ）をモニタする。さらに、電流制御回路１３は、電流センサ３１からの信号を受けて、電流Ｉｏｕｔをモニタする。電流制御回路１３は、検出された電圧Ｖｏｕｔおよび検出された電流Ｉｏｕｔに基づいて、パワーＩＣ２２を制御する。
【００３６】
インバータ１５の消費電流が大きくなると、ＡＣ／ＤＣコンバータ１２の出力電流Ｉｏｕｔが一定に制御されているので、必然的に電圧Ｖｏｕｔが低下するように変化しようとするが、蓄電装置１４によって電圧Ｖｏｕｔが一定に保たれようとする。したがって蓄電装置１４が放電する。ＡＣ／ＤＣコンバータ１２の出力電流Ｉｏｕｔが一定に制御されているので、不足する電流が蓄電装置１４からインバータ１５に供給される。一方、インバータ１５の消費電流が小さい場合、ＡＣ／ＤＣコンバータ１２の出力電流Ｉｏｕｔが一定に制御されているので、余剰分の電流によって蓄電装置１４が充電される。
【００３７】
電流制御回路１３は、パワーＩＣ２２のスイッチング動作のための制御信号をパワーＩＣに送る。パワーＩＣ２２は、電流制御回路１３からの制御信号に応じて、トランス２３に電流が流れる時間の比（すなわちデューティ比）を変化させる。これにより電流Ｉｏｕｔが一定に制御される。
【００３８】
図４は、インバータの直流消費電流の変化を説明するための波形図である。図４を参照して、インバータ１５の動作に依存して、インバータ１５の直流消費電流が大きく変動する。直流消費電流の変動に対して何らの制御も実行されない場合には、直流電力の変動に応じて交流系統の電流が大きく変動する。
【００３９】
図５は、インバータの直流消費電流の変動に起因する、交流系統の電流の変動を説明する波形図である。図５を参照して、＋Ｉｍａｘ，＋Ｉｍｉｎは、それぞれ、正側の最大の交流消費電流および正側の最小の交流消費電流を示す。−Ｉｍａｘ，−Ｉｍｉｎは、それぞれ、負側の最大の交流消費電流および負側の最小の交流消費電流を示す。「負側の最大値」は、絶対値が最大となる負の値であり、「負側の最小値」とは、絶対値が最小となる負の値である。
【００４０】
直流消費電流の変動に対する何らの制御も実行されない場合には、正側および負側の最大消費交流電流の絶対値（＋Ｉｍａｘおよび−Ｉｍａｘの絶対値）が大きくなる。このため、正側および負側の両方において、消費電流の変動（最大の交流消費電流と最小の交流消費電流との差）が大きくなる。
【００４１】
たとえば電気機器１が系統電源２に接続されている場合には、電流の変動に起因する系統電源２の負荷はそれほど大きくならない。しかし、図５に示されるように、消費電流の波形が鋭角的であり、系統電源２に、このような特性の機器が多数接続された場合には、最大消費電流の合計が、系統電源２で供給可能な電流の上限を超える可能性がある。このため、図２に示されるように、電気機器１にはＰＦＣ回路１１が設けられる。これにより、消費電流の上限を抑えることが可能となる。
【００４２】
たとえば系統電源２の停電の場合、電気機器１は電源機器３のみに電気的に接続される。上記のように電源機器３の容量（出力）は系統電源２に比べて小さく、たとえば数ｋＷ程度である。電気機器１の瞬間的な消費電力が電源機器３の容量を超える場合があり得る。この場合には、たとえば電源機器３の安全回路（たとえば遮断器、ヒューズなど）が動作することにより電源機器３が停止する。
【００４３】
また、電源機器３が、電気機器１の消費電力をフィードバックして電源機器３の出力を制御するように構成されている場合がある。この場合、電気機器１の消費電力が瞬間的に大きくなると、そのフィードバック制御によって電源機器３の動作が不安定となる可能性がある。たとえば、電気機器１の消費電力が瞬時に大きくなり、次に瞬時に低下した場合には、電源機器３の出力電圧も急激に上昇する可能性がある。
【００４４】
第１の実施の形態によれば、電気機器１は、蓄電装置１４を備える。蓄電装置１４は、インバータ１５の直流入力側に設けられる。電流制御回路１３は、蓄電装置１４の充放電を利用して電気機器１の消費電流を制御する。
【００４５】
図６は、第１の実施の形態に係る電気機器による、交流系統の電流の変動を説明するための波形図である。図６を参照して、電流制御回路１３は、電気機器１の消費電流（交流電源に対する電気機器１の消費電流）の時間平均が一定量（Ｉａとする）となるように電流を制御する。インバータ１５の消費電流が電流Ｉａを上回る場合には、蓄電装置１４が放電して、不足分の電流が蓄電装置１４からインバータ１５に電流が供給される。したがって図５に示された波形図と比較して、電流＋Ｉｍａｘ，−Ｉｍａｘの絶対値を下げることができる。逆に、インバータ１５の消費電流が電流Ｉａを下回る場合には、ＡＣ／ＤＣコンバータ１２からの電流Ｉｏｕｔが一定であるので、余剰分の電流により蓄電装置１４が充電される。
【００４６】
第１の実施の形態によれば、電源装置が、電気機器に備わるインバータの最大消費電流の影響を受けにくくすることができる。さらに、第１の実施の形態によれば、電気機器の消費電流の変動を小さくすることができる。したがって、第１の実施の形態によれば、負荷の消費電力の変動による交流電源への影響を低減することが可能な電気機器を実現できる。たとえば小容量の電源装置により動作可能な、インバータを備える電気機器を実現することができる。
【００４７】
さらに第１の実施の形態に係る電気機器１を系統電源２に接続して動作させる場合において、たとえば突入電流によるブレーカ遮断を防止することができるという効果を得ることができる。また、第１の実施の形態に係る電気機器によれば、契約電流容量の低減および、それによる省エネルギーなどといった効果を得ることができる。
【００４８】
［実施の形態２］
図７は、第２の実施の形態に係る電気機器１の主要部分の構成を示した回路図である。図２および図７を参照して、第２の実施の形態に係る電気機器１Ａは、電流制御回路１３に代えて電流制御回路１３Ａを備える。
【００４９】
電流制御回路１３Ａは、蓄電装置１４のＳＯＣに関する情報を取得する。ＳＯＣとは、蓄電装置１４の満充電状態時の電荷量に対する、蓄電装置１４の現在の電荷量の比率と定義される。つまりＳＯＣが１００％であるとは蓄電装置１４が満充電状態であることを示し、ＳＯＣが０％であるとは蓄電装置１４に蓄えられる電荷量が０であることを示す。
【００５０】
電流制御回路１３Ａは、たとえば、蓄電装置１４の両端子間の電圧に基づいて、蓄電装置１４のＳＯＣを算出する。蓄電装置１４のＳＯＣを取得する他の方法として、蓄電装置１４が蓄電装置１４のＳＯＣを算出する機能を有する場合には、電流制御回路１３Ａは蓄電装置１４から残容量に関する情報を取得することができる。また、充放電電流の積算によって蓄電装置１４のＳＯＣを算出することも可能である。
【００５１】
電流制御回路１３Ａは、蓄電装置１４のＳＯＣとインバータ１５の消費電流とに基づいて、ＡＣ／ＤＣコンバータ１２の出力電圧を制御して、蓄電装置１４のＳＯＣを目標値付近に制御する。具体的には、電流制御回路１３Ａは、ＳＯＣが０（％）と１００（％）との間の目標値付近となるように、ＡＣ／ＤＣコンバータ１２の出力電圧を変化させる。なお、以下の説明においては、電流制御回路１３Ａは、上記のいずれかの方法のうち、蓄電装置１４の両端子間の電圧に基づいて蓄電装置１４のＳＯＣを算出するものとする。
【００５２】
図８は、電流制御回路１３Ａの構成の一例を説明した機能ブロック図である。図８を参照して、電流制御回路１３Ａは、Ａ／Ｄ変換器４０ａ，４０ｂと、目標電圧算出部４１と、減算部４２と、制御信号生成部４３と、ＳＯＣ算出部４５と、記憶部４６と、電流差分算出部４７と、加算部４８とを備える。ＳＯＣ算出部４５と、記憶部４６と、電流差分算出部４７と、加算部４８とは、ＡＣ／ＤＣコンバータ１２から出力される電流Ｉｏｕｔを、蓄電装置１４のＳＯＣに応じて補正する電流補正部を構成する。
【００５３】
Ａ／Ｄ変換器４０ａは、電流センサ３１（図３を参照）からの信号を、電流Ｉｏｕｔの値を示すデジタル信号に変換する。Ａ／Ｄ変換器４０ｂは、電圧Ｖｏｕｔを示すアナログ値をデジタル値に変換する。
【００５４】
目標電圧算出部４１は、電流Ｉｏｕｔの値に基づいて、電圧Ｖｏｕｔの目標値（目標電圧）Ｖｏｕｔ＊を生成する。具体的には、目標電圧算出部４１は、電流Ｉｏｕｔが大きくなるほど目標電圧Ｖｏｕｔ＊を低下させる。目標電圧算出部４１は、電流Ｉｏｕｔが小さくなるほど目標電圧Ｖｏｕｔ＊を上昇させる。
【００５５】
減算部４２は、目標電圧Ｖｏｕｔ＊と、電圧Ｖｏｕｔとの間の差分ΔＶ（＝Ｖｏｕｔ＊−Ｖｏｕｔ）を生成する。
【００５６】
制御信号生成部４３は、差分ΔＶに基づいて、パワーＩＣ２２（図３を参照）を制御するための制御信号４４を生成する。具体的には、制御信号生成部４３は、差分ΔＶが０に近づくように、制御信号のデューティ比を決定する。
【００５７】
ＳＯＣ算出部４５は、蓄電装置１４の両端端子間の電圧に基づいて蓄電装置１４のＳＯＣを算出する。記憶部４６は、ＳＯＣと、消費電流Ｉａの変化量（差分）ΔＩａとの間の対応関係を記憶する。差分ΔＩａは、電気機器１の消費電流Ｉａとインバータ１５の消費電流との差分に対応する。
【００５８】
電流差分算出部４７は、記憶部４６に記憶されたＳＯＣとΔＩａとの間の対応関係に従って、電流Ｉｏｕｔの変化量（差分）ΔＩａを決定する。なお、ΔＩａは、正の値、負の値の両方を取り得る。
【００５９】
加算部４８は、電流Ｉｏｕｔの値にΔＩａを加える。ΔＩａ＞０の場合、電流Ｉｏｕｔよりも大きい値が目標電圧算出部４１に入力される。ΔＩａ＜０の場合、電流Ｉｏｕｔよりも小さい値が目標電圧算出部４１に入力される。目標電圧算出部４１は、加算部４８から入力された値に従って、目標電圧Ｖｏｕｔ＊を算出する。
【００６０】
第１の実施の形態では、電気機器１の消費電流Ｉａ（言い換えると交流電源から受ける電流）が一定となるように電気機器１が動作する。インバータ１５の消費電流が電流Ｉａを上回る状態が続く場合には、蓄電装置１４からの放電が続くため、蓄電装置１４のＳＯＣが低下する。蓄電装置１４のＳＯＣが０になった状態では、インバータ１５の消費電流が平均の消費電流Ｉａを上回っても、蓄電装置１４から電流を供給することができない。したがって電気機器１にとっては電力不足の状態となるので、電気機器１の動作が不安定になるおそれがある。
【００６１】
一方、インバータ１５の消費電流が電流Ｉａを下回る場合には、蓄電装置１４への充電が続くため、蓄電装置１４のＳＯＣが上昇する。蓄電装置１４のＳＯＣが１００％になった状態では、インバータ１５の消費電流の変動を蓄電装置１４が吸収することができない。
【００６２】
第２の実施の形態では、蓄電装置１４のＳＯＣが目標値付近となるように、電流制御回路１３ＡがＡＣ／ＤＣコンバータ１２の出力電圧Ｖｏｕｔを制御して、それによりＡＣ／ＤＣコンバータ１２の出力電流Ｉｏｕｔを制御する。したがって第２の実施の形態によれば、インバータの消費電流の大きな変動による電源機器への影響を小さくすることができる。
【００６３】
図９は、第２の実施の形態に係る蓄電装置１４の制御を説明するためのグラフである。この制御は電流制御回路１３Ａによって実行される。図９を参照して、グラフの横軸は蓄電装置１４のＳＯＣを示す。Ｃｔ（％）は、ＳＯＣの目標値を示す。グラフの縦軸は消費電力の変化量（差分）ΔＩａを示す。図９に示された関係は、電流制御回路１３Ａの記憶部４６に記憶される。
【００６４】
現在のＳＯＣが目標ＳＯＣ：Ｃｔを上回る場合には、差分ΔＩａが負の値となる。この場合、電流制御回路１３Ａは、電流ＩａがΔＩａの絶対値だけ小さくなるようにＡＣ／ＤＣコンバータ１２の出力電圧Ｖｏｕｔを制御する。これにより、蓄電装置１４から出力される電流が増大して、蓄電装置１４のＳＯＣが減少する。なお、電流Ｉａは０未満にはならない。
【００６５】
一方、現在のＳＯＣが目標ＳＯＣ：Ｃｔを下回る場合には、差分ΔＩａが正の値となる。この場合、電流制御回路１３Ａは、電流ＩａがΔＩａの値だけ大きくなるようにＡＣ／ＤＣコンバータ１２の出力電圧Ｖｏｕｔを制御する。これにより、蓄電装置１４が充電されて、蓄電装置１４のＳＯＣが増大する。ただし電流Ｉａは、予め定められた電気機器１の最大電流量を超えないようにされる。
【００６６】
なお、ＳＯＣが目標ＳＯＣ：Ｃｔの近辺で頻繁に変化する場合、蓄電装置１４の充電と放電とが頻繁に切換わる可能性がある。つまりＡＣ／ＤＣコンバータ１２から出力される電流Ｉｏｕｔも増加および減少が頻繁に繰り返される可能性がある。
【００６７】
このため、図９に示されるように、目標ＳＯＣ：Ｃｔを挟む所定の領域においてΔＩａ＝０に設定される。この領域は、残容量がＣ１（％）からＣ２（％）までの範囲である。
【００６８】
また、インバータ１５の消費電流が急激に増加する可能性がある。このような事態に対応するために目標ＳＯＣ：Ｃｔは、５０％よりも大きい値であることが好ましい。
【００６９】
以上のように、第２の実施の形態によれば、インバータの消費電流の大きな変動による、電源機器への影響をより小さくすることができる。
【００７０】
［実施の形態３］
第３の実施の形態に係る電気機器の構成は、第２の実施の形態に係る電気機器の構成と同様である。したがって、第３の実施の形態に係る電流制御回路の構成も第２の実施の形態に係る構成（図８を参照）と同じである。したがって、図８を参照して第３の実施の形態について説明する。
【００７１】
第３の実施の形態では、電流制御回路１３Ａが電流Ｉａを緩やかに変化させる。記憶部４６は、電流Ｉａを緩やかに変化させるためのＳＯＣと電流差分ΔＩａとの間の対応関係を記憶する。
【００７２】
図１０は、第３の実施の形態に係るＳＯＣと電流差分ΔＩａとの間の対応関係の第１の例を示す図である。図１０を参照して、電流差分ΔＩａは、ＳＯＣがＣ３（％）からＣ１（％）までの間、および、ＳＯＣがＣ２（％）からＣ４（％）までの間において緩やかに減少する。なお、ＳＯＣが０（％）〜Ｃ３（％）の範囲ではΔＩａは正の一定値である。同様にＳＯＣがＣ４（％）〜１００（％）の範囲ではΔＩａは正の一定値である。第２の実施の形態と同様に、Ｃ１〜Ｃ２の範囲ではΔＩａは０である。
【００７３】
図１１は、第３の実施の形態に係るＳＯＣと電流差分ΔＩａとの間の対応関係の第２の例を示す図である。図１１を参照して、電流差分ΔＩａは、ＳＯＣが０（％）からＣ１（％）までの間、および、ＳＯＣがＣ２（％）から１００（％）までの間において緩やかに減少する。
【００７４】
なお、図１０、図１１は、電流差分ΔＩａがＳＯＣに対して直線的（線形）に変化する例を示している。しかしながらＳＯＣに対する電流差分ΔＩａの変化は直線的である必要はない。
【００７５】
第３の実施の形態によれば、蓄電装置１４のＳＯＣを、目標値により保ちやすくすることができる。したがってインバータの消費電流の大きな変動による、電源機器への影響をより小さくすることができる。
【００７６】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１，１Ａ  電気機器、２  系統電源、３  電源機器、１１  ＰＦＣ回路、１２  ＡＣ／ＤＣコンバータ、１３，１３Ａ  電流制御回路、１４  蓄電装置、１５  インバータ、１６  モータ、２１  ダイオードブリッジ、２２  パワーＩＣ、２３  トランス、２４  コンデンサ、３１  電流センサ、４０ａ，４０ｂ  Ａ／Ｄ変換器、４１  目標電圧算出部、４２  減算部、４３  制御信号生成部、４４  制御信号、４５  ＳＯＣ算出部、４６  記憶部、４７  電流差分算出部、４８  加算部、Ｃｔ  目標ＳＯＣ、Ｃ１〜Ｃ４  ＳＯＣ。
【図１】
2014090622.tif 000003
【図２】
2014090622.tif 000004
【図３】
2014090622.tif 000005
【図４】
2014090622.tif 000006
【図５】
2014090622.tif 000007
【図６】
2014090622.tif 000008
【図７】
2014090622.tif 000009
【図８】
2014090622.tif 000010
【図９】
2014090622.tif 000011
【図１０】
2014090622.tif 000012
【図１１】
2014090622.tif 000013